【事件の表示】
　特許第３０３１９８８号「光学ユニット」の請求項１、２に係る特許に対する特許異議の申立てについて、次のとおり決定する。
【結　論】
　訂正を認める。
　特許第３０３１９８８号の請求項１、２に係る特許を維持する。
【理　由】
１．手続の経緯
　本件特許３０３１９８８号の出願は、平成２年１０月５日に出願したものであって、平成１２年２月１０日に設定登録され、その後、特許異議申立人岡林茂より、請求項１及び２に係る特許について特許異議の申し立てがなされた。そして平成１２年１２月７日付けで取消理由通知がなされたところ、平成１３年２月１９日付けで特許異議意見書及び訂正請求書が提出された。
　
２．訂正の適否についての判断
２−１．訂正事項
（１）訂正事項ａ
　特許請求の範囲請求項１及び２を、
「１．ハウジングと、半導体レーザとコリメータレンズとが一体に組み付けられて構成された光源体と、前記半導体レーザを電気的に駆動する回路基板と、前記半導体レーザと前記回路基板とを電気的に接続する、前記ハウジングの壁面に沿う帯状のフレキシブル基板とを備え、
　前記光源体と前記回路基板は前記ハウジングに取付けられ、
　前記半導体レーザは前記フレキシブル基板に直接半田付けされていることを特徴する光学ユニット。
２．ハウジングと、半導体レーザとコリメータレンズとが一体に組み付けられて構成され前記ハウジング内に収納されている光源体と、前記半導体レーザに直接半田付けされるとともに、前記ハウジング内に収納され同ハウジングの壁面に沿う帯状のフレキシブル基板とを有することを特徴とする光学ユニット。」と訂正する。
（２）訂正事項ｂ
　特許明細書の２頁右欄２７行、３４行、４０行に記載の「レンズ」を、「コリメータレンズ」に訂正する。
（３）訂正事項ｃ
　同２頁右欄２９行ないし３０行に記載の「フレキシブル基板」を、「、ハウジングの壁面に沿う帯状のフレキシブル基板」に訂正する。
（４）訂正事項ｄ
　同３頁左欄２３行に記載の「では、フレキシブル基板１８１」を、「では、信号線としてのフレキシブル基板１８１」に訂正する。
（５）訂正事項ｅ
　同３頁左欄４７行ないし４８行に記載の「レーザダイオード４２ａ」を、「半導体レーザ４２ａ」に訂正する。
（６）訂正事項ｆ
　同３頁左欄４８行に記載の「半導体レーザ４２」を、「半導体レーザ４２ａ」に訂正する。
（７）訂正事項ｇ
　同４頁左欄１４行に記載の「突出してして」を、「突出して」に訂正する。
（８）訂正事項ｈ
　同４頁右欄７行に記載の「光源体」を、「半導体レーザとコリメータレンズとを有する光源体」に訂正する。
　
２−２．訂正の目的の適否、新規事項の有無及び拡張・変更の存否
（１）上記訂正事項ａは、「レンズ」を「コリメータレンズ」と、「フレキシブル基板」を「ハウジングの壁面に沿う帯状のフレキシブル基板」と限定して訂正するものであって、上記事項は、特許明細書（特許公報）２頁右欄４０行〜５０行、３頁左欄４０行〜４１行記載されている事項である。よって、上記訂正は、特許請求の範囲の減縮を目的とした明細書の訂正に該当し、願書に添付した明細書の範囲内の訂正であり、実質上特許請求の範囲を拡張し又は変更するものではない。
（２）上記訂正事項ｂ，ｃは、上記訂正事項ａに伴って、明細書を訂正するものであるから、上記訂正は、明りょうでない記載の釈明を目的とした明細書の訂正に該当し、願書に添付した明細書の範囲内の訂正であり、実質上特許請求の範囲を拡張し又は変更するものではない。
（３）上記訂正事項ｄ〜ｈは、明細書の記載をより明りょうにするものであるから、明りょうでない記載の釈明を目的とした明細書の訂正に該当し、願書に添付した明細書の範囲内の訂正であり、実質上特許請求の範囲を拡張し又は変更するものではない。
　
２−３．むすび
　以上のとおりであるから、上記訂正は、特許法等の一部を改正する法律（平成６年法律第１１６号）附則第６条第１項の規定により「なお従前の例による」とされる、特許法第１２０条の４第３項で準用する平成６年法律第１１６号による改正前の特許法第１２６条第１項ただし書ないし第３項の規定に適合するので、当該訂正を認める。
　
３．本件発明
　請求項１及び２に係る発明は、訂正された特許明細書及び図面の記載からみて、その特許請求の範囲の請求項１及び２により特定される次のとおりのものである。
「１．ハウジングと、半導体レーザとコリメータレンズとが一体に組み付けられて構成された光源体と、前記半導体レーザを電気的に駆動する回路基板と、前記半導体レーザと前記回路基板とを電気的に接続する、前記ハウジングの壁面に沿う帯状のフレキシブル基板とを備え、
　前記光源体と前記回路基板は前記ハウジングに取付けられ、
　前記半導体レーザは前記フレキシブル基板に直接半田付けされていることを特徴する光学ユニット。
２．ハウジングと、半導体レーザとコリメータレンズとが一体に組み付けられて構成され前記ハウジング内に収納されている光源体と、前記半導体レーザに直接半田付けされるとともに、前記ハウジング内に収納され同ハウジングの壁面に沿う帯状のフレキシブル基板とを有することを特徴とする光学ユニット。」（以下、それぞれ「本件発明１」、「本件発明２」という。）
　
４．取消理由通知
　平成１２年１２月７日付け取消理由通知の概要は以下のとおりである。
　訂正前の請求項１及び２に係る発明は、下記の刊行物に基づき当業者が容易に発明をすることができたものであるから、訂正前の請求項１及び２に係る特許は、特許法第２９条第２項の規定に違反してされたものである。
記
刊行物１：特開平　１−３２１４２１号公報（特許異議申立人岡林茂の提出した甲第１号証）
刊行物２：特開昭６３−２６０４６５号公報（同甲第２号証）
　
５．刊行物の記載事項
　刊行物１（特開平１−３２１４２１号公報）には、次の事項が記載されている。
「光学関連部品を収容する光学ケース１内には、半導体レーザを含む光源部２と、光源部２より発生するレーザ光Ｌを走査する光偏向器４と、光源部２と光偏向器４との間に配設した光偏向器の第１面倒れ補正レンズ群３、光偏向器４により走査されたレーザ光の面倒れを補正する第２補正レンズ群５と、このレーザ光Ｌを結像する結像レンズ群６，７，８と、光の主走査方向の水平同期信号用反射ミラ１１及び水平同期信号用受光素子１２とを含む水平同期信号検出手段と、走査された光を反射し、感光ドラム１０の結像面上に走査光を導く走査光反射ミラ９等が配置される。」（２頁左下欄１４行〜同頁右下欄５行）、
「第１図は、本発明の実施例の斜視図で、・・・光源部２と前記面倒れ補正レンズ群ホールダ１３との間のベース板２３上にはハウジング１９を配設する。・・・前記面倒れ補正レンズ群ホールダ１３をハウジング１９に位置決めする。・・・この調整は面倒れ補正レンズ群ホールダ１３の筒体１６をハウジング１９の貫通孔２０内で変位させることで可能となる。・・・以上の調整終了後、前記面倒れ補正レンズ群ホールダ１３の筒体１６をハウジング１９内に回転止め２２により変位不能に位置決めする。」（２頁右下欄９行〜３頁右上欄１０行）
　
　刊行物２（特開昭６３−２６０４６５号公報）には、次の事項が記載されている。
「本発明は、半導体レーザ素子と半導体レーザ素子駆動回路の接続に可撓性を有する印刷配線板（以下フレキシブルプリント基板と称す。）を使用し、・・・発光素子４と該発光素子駆動回路５との接続にフレキシブルプリント基板を使用し」（１頁右下欄１４行〜２頁左上欄１６行）
　
６．対比・判断
【本件発明１について】
　本件発明１と刊行物１とを対比すると、刊行物１の「光学ケース１」「半導体レーザを含む光源部２」「面倒れ補正レンズ群」が本件発明１の「ハウジング」「半導体レーザ」「コリメータレンズ」に相当するのは明らかであり、また、刊行物１において、光源部２と補正レンズ群を有するハウジング１９は、光学ケース１内のベース板２３に固定されているから、両者は、「ハウジングと、半導体レーザとコリメータレンズとが一体に組み付けられて構成された光源体とを備えた光学ユニット」である点で一致し、次の点で相違する。
　
相違点：本件発明１のものが、「前記半導体レーザを電気的に駆動する回路基板と、前記半導体レーザと前記回路基板とを電気的に接続する、前記ハウジングの壁面に沿う帯状のフレキシブル基板とを備え、前記光源体と前記回路基板は前記ハウジングに取付けられ、前記半導体レーザは前記フレキシブル基板に直接半田付けされている」のに対し、刊行物１では、半導体レーザを電気的に駆動する回路基板についての記載がなく、したがってその接続についても記載されておらず、結局上記事項は記載されていない点。
　
　上記相違点について検討すると、刊行物２には、「発光素子４と該発光素子駆動回路５との接続にフレキシブルプリント基板を使用」することは記載されているが、刊行物１には、半導体レーザを電気的に駆動する回路基板が記載されていないのであるから、発光素子４と該発光素子駆動回路５との接続するとの動機付けを導くことはできず、また刊行物２のフレキシブル基板を刊行物１のものに適用しようとしても、刊行物１では回路基板の取付位置も不明なのであるから、フレキシブル基板をハウジングの壁面に沿って配置することが有利な効果を奏するかどうかも不明といわざるを得ず、したがって、刊行物２を見ても、フレキシブル基板を適用した際の具体的な技術的事項である上記相違点が導き出されるとすることはできない。
　
【本件発明２について】
　本件発明２と刊行物１とを対比すると、「ハウジングと、半導体レーザとコリメータレンズとが一体に組み付けられて構成され前記ハウジング内に収納されている光源体とを有することを特徴とする光学ユニット」である点で一致し、次の点で相違する。
　
相違点：本件発明１のものが、「前記半導体レーザに直接半田付けされるとともに、前記ハウジング内に収納され同ハウジングの壁面に沿う帯状のフレキシブル基板」を有するのに対し、刊行物１には、上記事項は記載されていない点。
　
　上記相違点について判断は、【本件発明１について】で述べたと同様である。
　
　よって、本件発明１及び２は、刊行物１，２に記載された発明に基づき当業者が容易に発明をすることができたものであるということはできない。
　
７．特許異議の申立について
　特許異議申立人岡林茂のした特許異議申立の理由は、上記取消理由と同様であり、本件発明が訂正請求のとおりであることも上記のとおりであるから、上記刊行物（甲各号証）に対する対比・判断についても、上記【本件発明１について】、【本件発明２について】に示すとおりである。
　
　なお、特許異議申立人は、本件発明１及び２の上記相違点の技術的事項を設計事項であると主張するが、上記したように、フレキシブル基板を適用する際の前提となる技術的事項が甲第１号証（刊行物１）に十全に記載されているわけではないから、たとえフレキシブル基板を用いることが甲第２号証（刊行物２）に記載され、またフレキシブル基板に直接半田付けするとの事項及びフレキシブル基板をハウジングの壁面に沿わせるとの事項が個々に見れば設計事項程度であるとしても、発明全体として容易であるということはできない。
　
８．むすび
　したがって、特許異議申立ての理由及び証拠によっては、請求項１及び２に係る特許を取り消すことはできない。
　また、他に請求項１及び２に係る特許を取り消すべき理由を発見しない。
　よって、結論のとおり決定する。
【異議決定日】
平成１４年７月１８日（２００２．７．１８）
【訂正の要旨】
訂正の要旨
（１）訂正事項ａ
　特許請求の範囲請求項１及び２を、
「１．ハウジングと、半導体レーザとコリメータレンズとが一体に組み付けられて構成された光源体と、前記半導体レーザを電気的に駆動する回路基板と、前記半導体レーザと前記回路基板とを電気的に接続する、前記ハウジングの壁面に沿う帯状のフレキシブル基板とを備え、
　前記光源体と前記回路基板は前記ハウジングに取付けられ、
　前記半導体レーザは前記フレキシブル基板に直接半田付けされていることを特徴する光学ユニット。
２．ハウジングと、半導体レーザとコリメータレンズとが一体に組み付けられて構成され前記ハウジング内に収納されている光源体と、前記半導体レーザに直接半田付けされるとともに、前記ハウジング内に収納され同ハウジングの壁面に沿う帯状のフレキシブル基板とを有することを特徴とする光学ユニット。」と訂正する。
（２）訂正事項ｂ
　特許明細書の２頁右欄２７行、３４行、４０行に記載の「レンズ」を、「コリメータレンズ」に訂正する。
（３）訂正事項ｃ
　同２頁右欄２９行ないし３０行に記載の「フレキシブル基板」を、「、ハウジングの壁面に沿う帯状のフレキシブル基板」に訂正する。
（４）訂正事項ｄ
　同３頁左欄２３行に記載の「では、フレキシブル基板１８１」を、「では、信号線としてのフレキシブル基板１８１」に訂正する。
（５）訂正事項ｅ
　同３頁左欄４７行ないし４８行に記載の「レーザダイオード４２ａ」を、「半導体レーザ４２ａ」に訂正する。
（６）訂正事項ｆ
　同３頁左欄４８行に記載の「半導体レーザ４２」を、「半導体レーザ４２ａ」に訂正する。
（７）訂正事項ｇ
　同４頁左欄１４行に記載の「突出してして」を、「突出して」に訂正する。
（８）訂正事項ｈ
　同４頁右欄７行に記載の「光源体」を、「半導体レーザとコリメータレンズとを有する光源体」に訂正する。
（５４）【発明の名称】
光学ユニット
（５７）【特許請求の範囲】
１．ハウジングと、半導体レーザと
コリメータ
、前記ハウジングの壁面に沿う帯状の
　前記光源体と前記回路基板は前記ハウジングに取付けられ、
　前記半導体レーザは前記フレキシブル基板に直接半田付けされていることを特徴する光学ユニット。
２．ハウジングと、半導体レーザと
コリメータ
【発明の詳細な説明】
（産業上の技術分野）
　本発明はレーザプリンタ、レーザファクシミリなどに搭載される光学ユニットに関する。
（従来の技術）
　第１６図から第１９図の図面によって従来例１にかかる光学ユニットについて説明する。この光学ユニットはレーザプリンタに搭載されるものである。
　同図において、符号１はハウジングを示し、このハウジング１の側板１ａには、光源体２が取り付けられている。光源体２のＬＤベース２ａには半導体レーザ１８が備えられ、円筒状の凸部２ｂ内にはコリメータレンズ１７が備えられている。ハウジング１の側板１ａには丸穴１ｂが形成され、この丸穴１ｂに光源体２の凸部２ｂが外側から嵌め込まれ、さらにＬＤベース２ａが側板１ａにねじ止めされて光源体２はハウジング１の側板１ａに取り付けられている。光源体２の背面には半導体レーザ１８を駆動させるための回路基板７が固定されている。さらにハウジング１内にはポリゴンスキャナ４、レンズ３が収容されている。
　この光学ユニットでは、一点鎖線で示すように半導体レーザ１８からレーザ光が発せられ、このレーザ光はコリメータレンズ１７を通り、さらにポリゴンスキャナ４に反射され、レンズ３を通過して、図示しない感光体に照射され、感光体に静電潜像が形成される。
　従来例２にかかる光学ユニットにおける光源体３２に対するＰＣＢ基板、信号線の接続構造について第２０図から第２２図の図面によって説明する。
　この光源体３２は従来例１の光源体２と同様のハウジング１の側板１ａに取り付けられる。したがって外力が直接的に加わることになるのでＰＣＢ基板、信号線の接続を強固にする必要がある。よって以下に説明する構造としている。
　符号１９はフランジ体を示し、このフランジ体１９内にコリメータレンズ１７が収納されている。このフランジ体１９の背面にはＬＤベース２０が、ねじ２５、２５によって取り付けられている。ＬＤベース２０にはＬＤ取付け穴２０ａが形成され、このＬＤ取付け穴２０ａには半導体レーザ１８が嵌め込まれている。さらに半導体レーザ１８はねじ２４、２４によってＬＤベース２０に取り付けられたＬＤ押え板２１によって固定されている。
　ＬＤベース２０上には支柱２８、２８が設けられており、この支柱２８、２８上にはＰＣＢ基板３０が設置され、ねじ２９、２９によって固定されている。ＰＣＢ基板３０上の導体パターンには半導体レーザ１８の三本の端子１８ａが半田付けされている。さらにＰＣＢ基板３０には、信号線３１が連結されたコネクタ２７が接続されている。
　この光学ユニットでは信号が、信号線３１、コネクタ２７、ＰＣＢ基板３０の導体パターンを介して、半導体レーザ１８の端子１８ａに伝達され、この信号に対応して半導体レーザ１８からレーザ光が発せられ、このレーザ光はコリメータレンズ１７を経て照射される。
（発明が解決しようとする課題）
　しかしながら従来例１にかかる光学ユニットでは、以下の問題点がある。
　光源体２、回路基板７がハウジング１からの側壁１ａの外側に取り付けられ、ハウジング１から露出しているので、光源体２が外力を受けやすく、破損するおそれがある。
　光源体２が外力を受けやすい箇所に取り付けられているので、光源体２を取り付けるための機構を堅固なものとしなくてはならず、取付け作業が煩雑化する。
　回路基板７が光源体２の背面に露出した状態で取り付けられているので、静電気等の電気的ストレスを受けやすく、半導体レーザ１８が劣化したり、回路基板７が破損するおそれがある。
　光源体２をハウジング１の側板１ａに横方向からねじ止めしているため作業性が悪い。
　光源体２をねじ１１、１１によって側板１ａに取り付けているため、ケース本体２ａにねじを挿通する部分を確保する必要がある。
　ハウジング１の側板１ａに丸穴１ｂを形成しなくてはならないため、ハウジング１の製作工程が煩雑となり、製作時間が長くなる。特にハウジング１をモールド成形によって製作する場合には成形用の金型に横方向から抜くピンが必要となるため金型の構造が複雑になってしまう。
　従来例２の光学ユニットでは、従来例１の光学ユニットがもつ問題点の他、以下の問題点がある。
　ＰＣＢ基板３０をＬＤベース２０に支柱２８を介して取り付けているので、ＬＤベース２０に支柱２８を備えるスペースが必要となり、光源体３２が大型化してしまうばかりか、ＰＣＢ基板３０の取付け構造が複雑となって、部品点数も多くなる。
　信号線３１をコネクタ２７を介してＰＣＢ基板３０に取り付けているので、コネクタ２７を備えるスペースが必要となるばかりか、信号線の取付け構造が複雑となって、部品点数も多くなる。
（課題を解決するための手段）
　本発明は、上記従来の問題点を解決するためになされたものであり、請求項１記載の光学ユニットは、ハウジングと、半導体レーザと
コリメータ
、ハウジングの壁面に沿う帯状の
　請求項２記載の光学ユニットは、ハウジングと、半導体レーザと
コリメータ
（作　用）
　本発明によると、半導体レーザと
コリメータ
（実施例）
　以下本発明の実施例を図面に基づいて説明する。以下に説明する光学ユニットはいずれもレーザプリンタに搭載されるものである。
　第１実施例を第１図から第３図の図面によって説明する。
　同図において符号１１１はハウジングを示し、このハウジング１１１には半導体レーザを有する光源体１１２が収納されている。光源体１１２には信号線１８１が接続され、この信号線１８１は電気回路基板１１８に接続されている。光源体１１２のレーザ光照射方向には第１ＣＹレンズ１１３が配置され、さらにポリゴンスキャナ１１４が備えられている。ポリゴンスキャナ１１４はポリゴンスキャナドライバ１４１に取り付けられている。このポリゴンスキャナドライバ１４１には信号線１４２の一端が取り付けられ、さらに信号線１４２の他端は中継コネクタ１４３に接続されている。電気回路基板１１８には信号線１８２が接続され、この信号線１８２は中継コネクタ１８３に接続されている。
　符号１１５はｆθレンズを示し、このｆθレンズ１１５はポリゴンスキャナ１１４の反射方向に配置されている。さらにハウジング１１１内には折曲ミラー１１６が配置されている。
　この光学ユニットでは、
信号線としての
　この光学ユニットでは、光源体１１２がハウジング１１１に収納されているので、光源体１１２に外力が加わるのが防止される。またハウジング１１１にポリゴンスキャナ１１４を駆動するためのポリゴンスキャナドライバ１４１などを設けたので、光学ユニットの構造が簡単になる利点がある。
　第２実施例を第４図の図面によって説明する。
　同図において符号４１はハウジングを示し、このハウジング４１内には、光源体４２、ポリゴンスキャナ４４、レンズ４３が収納され、ハウジング４１に固定されている。光源体４２には発光素子としての半導体レーザ４２ａとコリメータレンズ４２ｂが備えられている。半導体レーザ４２ａの端子には信号線４６が接続され、この信号線４６は側板４１ａに取り付けられた中継コネクタ４８に接続されている。この中継コネクタ４８は半導体レーザ４２ａを作動させる外部回路に接続されている。
　この光学ユニットでは、外部回路からの信号が中継コネクタ４８、さらに信号線４６を介し
半導体レーザ
ａ
　本発明の別の実施例を第５図の図面によって、別の実施例を第６図の図面によって説明する。
　第５図、第６図に示す光学ユニットは第４図に示した光学ユニットとその構造を略同様とするので、その相違点についてのみ説明することにし、同一の部材については第４図と同一の符号を付し、その説明は省略する。
　第５図において符号４７は回路基板を示し、この回路基板４７は光源体４２の背面に取り付けら、ハウジング４１内に収容されている。
　第６図において符号５７は回路基板を示し、この回路基板５７はハウジング４１の底部４１ｅに取り付けられている。
　回路基板４７、５７はいずれもハウジング４１内に収容されているので、外力による衝撃を殆ど受けない。したがって回路基板をハウジング４１の外に備える場合のように、回路基板を強固に固定する必要がなく、簡易な固定構造とすることが可能である。さらに半導体レーザ４２ａと回路基板４７、５７が接近して配置されているので、電気的ノイズに対する抵抗力が大きくなる。
　本発明の別の発明にかかる実施例について第７図から第９図の図面によって説明する。
　符号５９は支持台を示し、この支持台５９は第４図に示したハウジング４１と同構造のハウジングの底部６１ｅに固定され、ハウジング内に収容されている。支持台５９の上面には半円形の凹部５３が形成され、この凹部５３の両側にはねじ穴５９ａ、５９ａが形成されている。なお凹部５３は上記の半円形の他、Ｕ字形、Ｖ字形であってもよい。
　符号６２は光源体を示し、この光源体６２のＬＤベース６２ｅには半導体レーザ６２ａが備えられている。光源体６２は円筒状の凸部６２ｄを有しており、この凸部６２ｄ内にはコリメータレンズ６２ｂが収納されている。凸部６２ｄの周面には丸穴５５が形成されている。
　符号５０は固定具を示し、この固定具５０は中央部５０ａが円弧状に形成されている。この円弧状の中央部５０ａには下方に突出する突起５４が形成され、両端部５０ｂ、５０ｂには穴５０ｃ、ト５０ｃが形成されている。
　光源体６２を支持台５９に固定する作業について説明する。
　ハウジングの上方から光源体６２の凸部６２ｄを支持台５９の凹部５３に嵌め込み、次いで固定具５０を支持台５９に設置し、固定具５０の突起５４を凸部６２ｄの丸穴５５に嵌合し、凸部６２ｄを押え、そしてねじ５１、５１を固定具５０の穴５０ｃ、５０ｃから挿入し、ねじ穴５９ａ、５９ａに取り付けて、光源体６２を支持台５９に固定し、ハウジング内に配置する。かかる作業はハウジングの上方より行われる。
　本発明の別の実施例を第１０図から第１２図の図面によって、別の実施例を第１３図から第１５図の図面によって説明する。
　第１０図から第１２図において、符号８２は光源体を示し、この光源体８２は第４図に示したハウジング４１と同構造のハウジング内に収容されている。符号７９はフランジ体を示し、このフランジ体７９のレンズ収納穴７９ａ内にはコリメータレンズ７７が備えられている。
　フランジ体７９の背面にはＬＤべース７０が、ねじ７５、７５によって固定されている。ＬＤべース７０のＬＤ取付け穴７０ａには半導体レーザ７８が嵌合されている。符号７１はＬＤ押え板を示し、このＬＤ押え板７１はＬＤべース７０にねじ７４、７４によって取り付けられ、半導体レーザ７８の脱落を阻止している。ＬＤ押え板７１には端子貫入穴７１ａが形成され、この端子貫入穴７１ａに半導体レーザ７８の端子７８ａが貫入され、端子７８ａの先端部がＬＤ押え板７１の上面から突出し
てい
　符号７２はフレキシブル基板を示し、このフレキシブル基板７２もハウジング内に収容されている。半導体レーザ７８の端子７８ａの先端部はフレキシブル基板７２を貫通し、この端子７８ａの先端部はフレキシブル基板７２の導体パターンに半田付けされている。
　この光学ユニットでは、信号がフレキシブル基板７２から直接、端子７８ａへ伝達され、半導体レーザ７８が作動する。
　第１３図から第１５図に示す符号で、第１０図から第１２図に示した符号と同じものは同一の部材を示すものとし、それらの部材の説明は省略する。
　ＬＤベース８０のＬＤ取付け穴８０ａには、半導体レーザ７８が嵌合されており、ＬＤベース８０にねじ７４、７４によって取り付けられた押え板８１によって脱落が阻止されている。押え板８１には端子貫入穴８１ａが形成され、半導体レーザ７８の端子７８ａは、端子貫入穴８１ａを通って押え板８１の上面から突出している。
　ＬＤベース８０には段部８０ｂ、８０ｂが形成されており、この段部８０ｂ、８０ｂには、補強板７６が接着固定されている。補強板７６には貫通穴が形成されており、この貫通穴を端子７８ａが貫通し、端子７８ａの先端部が補強板７６の上面から突出している。補強板７６上にはフレキシブル基板７２が接着されている。半導体レーザ７８の端子７８ａの先端部はフレキシブル基板７２を貫通し、この端子７８ａの先端部はフレキシブル基板７２の導体パターンに半田付けされている。
　上記実施例ではレーザプリンタに搭載される光学ユニットを示したが、本発明はこれに限られずレーザファクシミリに搭載される光学ユニットに適用することも可能である。
（発明の効果）
　本発明によれば、半導体レーザを電気的に駆動する回路基板と半導体レーザとを電気的に接続するフレキシブル基板に、半導体レーザを直接半田付けしたので、光源体の半導体レーザと基板や信号線とを接続するための構造を単純化でき、部品点数も減らすことが可能となる。
　本発明によれば、フレキシブル基板が、ハウジングの壁面に沿う帯状であるため、ハウジング内でのフレキジブル基板の占有スペースが少なくなり、
半導体レーザとコリメータレンズとを有する
　光源体をハウジングの側板に取付けないため、光源体にねじ止め用の穴を設ける必要がなくなり光源体の小型化が可能となる。ハウジングの側板に光源体を取付けるための穴を形成する必要がなくなるため、ハウジングの製作工程が単純化し、ハウジングの製作時間が短くなる。ハウジングをモールド成形によって製作する場合、成形用の金型に横方向から抜くピンを設ける必要化がなくなるため金型の構造を単純化できる。
【図面の簡単な説明】
　第１図は本発明の一実施例である光学ユニットの平面図、第２図は同側面図、第３図は同正面図、第４図は本発明の別の実施例である光学ユニットの平面図、第５図は本発明の更に別の実施例である光学ユニットの平面図、第６図は本発明の更に別の実施例である光学ユニットの平面図、第７図は本発明の更に別の実施例である光学ユニットに備えられている光源体の固定構造の正面図、第８図は同平面図、第９図は同断面図、第１０図は本発明の更に別の実施例である光学ユニットに備えられる光源体の縦断面図、第１１図は同背面図、第１２図は同横断面図、第１３図は本発明の更に別の実施例にかかる光学ユニットに備えられる光源体と基板の取付け部分の縦断面図、第１４図は同背面図、第１５図は同横断面図、第１６図は従来例にかかる光学ユニットの平面図、第１７図は第１６図の部分拡大図、第１８図は同正面図、第１９図は同側面図、第２０図は従来例にかかる光学ユニットに備えられる光源体と基板および信号線との取付け部分の縦断面図、第２１図は同背面図、第２２図は同横断面図である。
４１、１１１・・・ハウジング
４２、１１２・・・光源体
４２ａ、６２ａ、７８・・・半導体レーザ
４２ｂ、６２ｂ、７７・・・コリメータレンズ
５０・・・固定具
７２、１８１・・・フレキシブル基板